(57)【要約】  ここに提示した技術は、（類似している可能性があるが）異なるスケジューリングサービスまたはデータ配信サービスを有する接続を、グループに集約する（または、束ねる）ことを可能にし、それぞれのグループに共通電力セーブクラスタイプが割り当てられている。異なる接続を共通ＰＳＣタイプに束ねることにより、アクティブな接続に対する異なるスリーピングウィンドウの全体的な数が減少し、これは、全体的な電力消費量の減少を助ける。例えば、（異なる接続の束に対する）異なるＰＳＣタイプを自動的にアクティブ化することにより、結果として、旧来の“束ねられていない”ＰＳＣスキームが利用されるときよりも、ＭＳが低電力状態で費やす全体的な時間がさらに多くなるように、オーバーラップするスリーピングウィンドウの数が減少する。【選択図】    図４
2011511580.tif 000002
【特許請求の範囲】
【請求項１】
基地局（ＢＳ）とデータを交換するワイヤレス移動局中で、電力セーブモードに入る方法において、
前記移動局と前記基地局との間でデータを交換するために確立された接続を識別することと、
前記接続のうちの少なくとも２つのものを１つ以上のグループに集約し、それぞれのグループは共通電力セーブクラス（ＰＳＣ）タイプを有することと、
予め定められた時間期間に対して、前記グループのうちの１つ以上のもののそれぞれの接続上でのインアクティビティを検出することに応答して、対応する１つ以上の共通ＰＳＣタイプをアクティブ化することとを含み、
前記接続のうちの少なくとも２つのものは、異なるタイプのスケジューリングサービスにしたがってデータを交換する方法。
【請求項２】
前記接続のうちの少なくとも２つのものを１つ以上のグループに集約することは、
異なるタイプのスケジューリングサービスまたはデータ配信サービスを有する第１組の接続を、第１の共通ＰＳＣタイプを有する第１のグループに集約することと、
異なるタイプのスケジューリングサービスまたはデータ配信サービスを有する第２組の接続を、共通ＰＳＣタイプを有する第２のグループに集約することとを含む請求項１記載の方法。
【請求項３】
前記第１のグループは、ベストエフォート（ＢＥ）タイプのサービスを使用する少なくとも１つの接続と、非リアルタイム可変レート（ＮＲＴ−ＶＲ）を使用する少なくとも１つの接続とを備える請求項２記載の方法。
【請求項４】
前記第２のグループは、非送信請求認可サービス（ＵＧＳ）タイプのサービスを使用する少なくとも１つの接続と、リアルタイム可変レート（ＲＴ−ＶＲ）または拡張リアルタイム可変レート（ＥＲＴ−ＶＲ）タイプのサービスを使用する少なくとも１つの接続とを備える請求項２記載の方法。
【請求項５】
前記第１の共通ＰＳＣタイプは、固定期間リスニングウィンドウだけ離れた固定期間スリーピングウィンドウを規定し、
前記第２の共通ＰＳＣタイプは、固定期間リスニングウィンドウだけ離れた指数的に増加するスリーピングウィンドウを規定する請求項２記載の方法。
【請求項６】
予め定められた時間期間に対して、前記グループのうちの１つ以上のもののそれぞれの接続上でのインアクティビティを検出することに応答して、対応する１つ以上の共通ＰＳＣタイプをアクティブ化することは、
予め定められた時間期間に対して、前記第１のグループおよび前記第２のグループのそれぞれの接続上でのインアクティビティを検出することに応答して、前記第１の共通ＰＳＣタイプおよび前記第２の共通ＰＳＣタイプをアクティブ化することを含む請求項５記載の方法。
【請求項７】
前記第１の共通ＰＳＣタイプおよび前記第２の共通ＰＳＣタイプのスリーピングウィンドウがオーバーラップするとき、前記移動局は１つ以上のコンポーネントの電源を切断し、
前記第１の共通ＰＳＣタイプおよび前記第２の共通ＰＳＣタイプのスリーピングウィンドウが少なくとも初めに整列されているように、前記第１の共通ＰＳＣタイプおよび前記第２の共通ＰＳＣタイプがアクティブ化される請求項６記載の方法。
【請求項８】
前記基地局および移動局は、米国電気電子学会（ＩＥＥＥ）８０２．１６ファミリーの標準規格のうちの１つ以上の標準規格にしたがったフレームを使用して通信し、
前記接続のうちの少なくとも２つのものを１つ以上のグループに集約することは、前記接続のうちの少なくとも２つのものを１つ以上のグループに集約することを含み、それぞれのグループは、ＩＥＥＥ８０２．１６ファミリーの標準規格にしたがった共通ＰＳＣタイプを有する請求項１記載の方法。
【請求項９】
移動局において、
前記移動局と基地局との間でデータを交換するために確立された接続を識別するロジックと、
前記接続のうちの少なくとも２つのものを１つ以上のグループに集約し、それぞれのグループは共通電力セーブクラス（ＰＳＣ）タイプを有するロジックと、
予め定められた時間期間に対して、前記グループのうちの１つ以上のもののそれぞれの接続上でのインアクティビティを検出することに応答して、対応する１つ以上の共通ＰＳＣタイプをアクティブ化するロジックとを具備し、
前記接続のうちの少なくとも２つのものは、異なるタイプのスケジューリングサービスにしたがってデータを交換する移動局。
【請求項１０】
前記接続のうちの少なくとも２つのものを１つ以上のグループに集約するロジックは、
異なるタイプのスケジューリングサービスまたはデータ配信サービスを有する第１組の接続を、第１の共通ＰＳＣタイプを有する第１のグループに集約するように、
異なるタイプのスケジューリングサービスまたはデータ配信サービスを有する第２組の接続を、共通ＰＳＣタイプを有する第２のグループに集約するように、構成されている請求項９記載の移動局。
【請求項１１】
前記第１のグループは、ベストエフォート（ＢＥ）タイプのサービスを使用する少なくとも１つの接続と、非リアルタイム可変レート（ＮＲＴ−ＶＲ）を使用する少なくとも１つの接続とを備える請求項１０記載の移動局。
【請求項１２】
前記第２のグループは、非送信請求認可サービス（ＵＧＳ）タイプのサービスを使用する少なくとも１つの接続と、リアルタイム可変レート（ＲＴ−ＶＲ）または拡張リアルタイム可変レート（ＥＲＴ−ＶＲ）タイプのサービスを使用する少なくとも１つの接続とを備える請求項１０記載の移動局。
【請求項１３】
前記第１の共通ＰＳＣタイプは、固定期間リスニングウィンドウだけ離れた固定期間スリーピングウィンドウを規定し、
前記第２の共通ＰＳＣタイプは、固定期間リスニングウィンドウだけ離れた指数的に増加するスリーピングウィンドウを規定する請求項１０記載の移動局。
【請求項１４】
前記予め定められた時間期間に対して、前記グループのうちの１つ以上のもののそれぞれの接続上でのインアクティビティを検出することに応答して、対応する１つ以上の共通ＰＳＣタイプをアクティブ化するロジックは、
予め定められた時間期間に対して、前記第１のグループおよび前記第２のグループのそれぞれの接続上でのインアクティビティを検出することに応答して、前記第１の共通ＰＳＣタイプおよび前記第２の共通ＰＳＣタイプをアクティブ化するように構成されている請求項１３記載の移動局。
【請求項１５】
前記第１の共通ＰＳＣタイプおよび前記第２の共通ＰＳＣタイプのスリーピングウィンドウがオーバーラップするとき、前記移動局は１つ以上のコンポーネントの電源を切断し、
前記第１の共通ＰＳＣタイプおよび前記第２の共通ＰＳＣタイプのスリーピングウィンドウが少なくとも初めに整列されているように、前記第１の共通ＰＳＣタイプおよび前記第２の共通ＰＳＣタイプがアクティブ化される請求項１４記載の移動局。
【請求項１６】
前記基地局および移動局は、米国電気電子学会（ＩＥＥＥ）８０２．１６ファミリーの標準規格のうちの１つ以上の標準規格にしたがったフレームを使用して通信し、
前記接続のうちの少なくとも２つのものを１つ以上のグループに集約するロジックは、前記接続のうちの少なくとも２つのものを１つ以上のグループに集約するように構成され、それぞれのグループは、ＩＥＥＥ８０２．１６ファミリーの標準規格にしたがった共通ＰＳＣタイプを有する請求項９記載の移動局。
【請求項１７】
装置において、
前記装置と基地局との間でデータを交換するために確立された接続を識別する手段と、
前記接続のうちの少なくとも２つのものを１つ以上のグループに集約し、それぞれのグループは共通電力セーブクラス（ＰＳＣ）タイプを有する手段と、
予め定められた時間期間に対して、前記グループのうちの１つ以上のもののそれぞれの接続上でのインアクティビティを検出することに応答して、対応する１つ以上の共通ＰＳＣタイプをアクティブ化する手段とを具備し、
前記接続のうちの少なくとも２つのものは、異なるタイプのスケジューリングサービスにしたがってデータを交換する装置。
【請求項１８】
前記接続のうちの少なくとも２つのものを１つ以上のグループに集約する手段は、
異なるタイプのスケジューリングサービスまたはデータ配信サービスを有する第１組の接続を、第１の共通ＰＳＣタイプを有する第１のグループに集約するように、
異なるタイプのスケジューリングサービスまたはデータ配信サービスを有する第２組の接続を、共通ＰＳＣタイプを有する第２のグループに集約するように、構成されている請求項１７記載の装置。
【請求項１９】
前記第１のグループは、ベストエフォート（ＢＥ）タイプのサービスを使用する少なくとも１つの接続と、非リアルタイム可変レート（ＮＲＴ−ＶＲ）を使用する少なくとも１つの接続とを備える請求項１８記載の装置。
【請求項２０】
前記第２のグループは、非送信請求認可サービス（ＵＧＳ）タイプのサービスを使用する少なくとも１つの接続と、リアルタイム可変レート（ＲＴ−ＶＲ）または拡張リアルタイム可変レート（ＥＲＴ−ＶＲ）タイプのサービスを使用する少なくとも１つの接続とを備える請求項１８記載の装置。
【請求項２１】
前記第１の共通ＰＳＣタイプは、固定期間リスニングウィンドウだけ離れた固定期間スリーピングウィンドウを規定し、
前記第２の共通ＰＳＣタイプは、固定期間リスニングウィンドウだけ離れた指数的に増加するスリーピングウィンドウを規定する請求項１８記載の装置。
【請求項２２】
前記予め定められた時間期間に対して、前記グループのうちの１つ以上のもののそれぞれの接続上でのインアクティビティを検出することに応答して、対応する１つ以上の共通ＰＳＣタイプをアクティブ化する手段は、
予め定められた時間期間に対して、前記第１のグループおよび前記第２のグループのそれぞれの接続上でのインアクティビティを検出することに応答して、前記第１の共通ＰＳＣタイプおよび前記第２の共通ＰＳＣタイプをアクティブ化するように構成されている請求項２１記載の装置。
【請求項２３】
前記第１の共通ＰＳＣタイプおよび前記第２の共通ＰＳＣタイプのスリーピングウィンドウがオーバーラップするとき、前記装置は１つ以上のコンポーネントの電源を切断し、
前記第１の共通ＰＳＣタイプおよび前記第２の共通ＰＳＣタイプのスリーピングウィンドウが少なくとも初めに整列されているように、前記第１の共通ＰＳＣタイプおよび前記第２の共通ＰＳＣタイプがアクティブ化される請求項２２記載の装置。
【請求項２４】
前記基地局および装置は、米国電気電子学会（ＩＥＥＥ）８０２．１６ファミリーの標準規格のうちの１つ以上の標準規格にしたがったフレームを使用して通信し、
前記接続のうちの少なくとも２つのものを１つ以上のグループに集約する手段は、前記接続のうちの少なくとも２つのものを１つ以上のグループに集約するように構成され、それぞれのグループは、ＩＥＥＥ８０２．１６ファミリーの標準規格にしたがった共通ＰＳＣタイプを有する請求項１７記載の装置。
【請求項２５】
基地局（ＢＳ）とデータを交換するワイヤレス移動局中で、電力セーブモードに入れるためのプログラム用命令を具備するコンピュータ読取可能媒体において、
プロセッサにより実行されるとき、
前記移動局と前記基地局との間でデータを交換するために確立された接続を識別することと、
前記接続のうちの少なくとも２つのものを１つ以上のグループに集約し、それぞれのグループは共通電力セーブクラス（ＰＳＣ）タイプを有することと、
予め定められた時間期間に対して、前記グループのうちの１つ以上のもののそれぞれの接続上でのインアクティビティを検出することに応答して、対応する１つ以上の共通ＰＳＣタイプをアクティブ化することとを含む動作を実行し、
前記接続のうちの少なくとも２つのものは、異なるタイプのスケジューリングサービスにしたがってデータを交換するコンピュータ読取可能媒体。
【請求項２６】
前記接続のうちの少なくとも２つのものを１つ以上のグループに集約することは、
異なるタイプのスケジューリングサービスまたはデータ配信サービスを有する第１組の接続を、第１の共通ＰＳＣタイプを有する第１のグループに集約することと、
異なるタイプのスケジューリングサービスまたはデータ配信サービスを有する第２組の接続を、共通ＰＳＣタイプを有する第２のグループに集約することとを含む請求項２５記載のコンピュータ読取可能媒体。
【請求項２７】
前記第１のグループは、ベストエフォート（ＢＥ）タイプのサービスを使用する少なくとも１つの接続と、非リアルタイム可変レート（ＮＲＴ−ＶＲ）を使用する少なくとも１つの接続とを備える請求項２６記載のコンピュータ読取可能媒体。
【請求項２８】
前記第２のグループは、非送信請求認可サービス（ＵＧＳ）タイプのサービスを使用する少なくとも１つの接続と、リアルタイム可変レート（ＲＴ−ＶＲ）または拡張リアルタイム可変レート（ＥＲＴ−ＶＲ）タイプのサービスを使用する少なくとも１つの接続とを備える請求項２６記載のコンピュータ読取可能媒体。
【請求項２９】
前記第１の共通ＰＳＣタイプは、固定期間リスニングウィンドウだけ離れた固定期間スリーピングウィンドウを規定し、
前記第２の共通ＰＳＣタイプは、固定期間リスニングウィンドウだけ離れた指数的に増加するスリーピングウィンドウを規定する請求項２６記載のコンピュータ読取可能媒体。
【請求項３０】
予め定められた時間期間に対して、前記グループのうちの１つ以上のもののそれぞれの接続上でのインアクティビティを検出することに応答して、対応する１つ以上の共通ＰＳＣタイプをアクティブ化することは、
予め定められた時間期間に対して、前記第１のグループおよび前記第２のグループのそれぞれの接続上でのインアクティビティを検出することに応答して、前記第１の共通ＰＳＣタイプおよび前記第２の共通ＰＳＣタイプをアクティブ化することを含む請求項２９記載のコンピュータ読取可能媒体。
【請求項３１】
前記第１の共通ＰＳＣタイプおよび前記第２の共通ＰＳＣタイプのスリーピングウィンドウがオーバーラップするとき、前記移動局は１つ以上のコンポーネントの電源を切断し、
前記第１の共通ＰＳＣタイプおよび前記第２の共通ＰＳＣタイプのスリーピングウィンドウが少なくとも初めに整列されているように、前記第１の共通ＰＳＣタイプおよび前記第２の共通ＰＳＣタイプがアクティブ化される請求項３０記載のコンピュータ読取可能媒体。
【請求項３２】
前記基地局および移動局は、米国電気電子学会（ＩＥＥＥ）８０２．１６ファミリーの標準規格のうちの１つ以上の標準規格にしたがったフレームを使用して通信し、
前記接続のうちの少なくとも２つのものを１つ以上のグループに集約することは、前記接続のうちの少なくとも２つのものを１つ以上のグループに集約することを含み、それぞれのグループは、ＩＥＥＥ８０２．１６ファミリーの標準規格にしたがった共通ＰＳＣタイプを有する請求項２５記載のコンピュータ読取可能媒体。
【発明の詳細な説明】
【関連出願に対する相互参照】
【０００１】
本出願は、２００８年２月１日に出願され、参照によりここにすべて組み込まれている米国仮出願６１／０２５，４９７号に対して優先権を主張する。
【技術分野】
【０００２】
本開示のある実施形態は、一般的にワイヤレス通信、ならびに、さらに詳細に述べると、スリープモード中の移動局（ＭＳ）による電力セーブクラスの構成およびアクティブ化に関連している。
【背景】
【０００３】
ＩＥＥＥ８０２．１６の下でのＯＦＤＭおよびＯＦＤＭＡワイヤレス通信システムは、基地局のネットワークを使用して、複数の副搬送波の周波数の直交性に基づいて、システム中のサービスに登録しているワイヤレスデバイス（例えば、移動局）と通信し、マルチパスフェージングおよび干渉への耐性のような、ワイドバンドワイヤレス通信に対する多数の技術的利益を達成するように実現することができる。それぞれの基地局（ＢＳ）は、データを移動局（ＭＳ）へ伝え、データを移動局（ＭＳ）から伝える無線周波数（ＲＦ）信号を放出および受信する。
【０００４】
ＭＳにおいて電力を節約するように努めて、ＩＥＥＥ８０２．１６標準規格は、スリーピングウィンドウの間にＭＳが１つ以上のコンポーネントの電源を切ってもよい、電力セーブクラス（ＰＳＣ）モードを規定している。ＭＳは、リスニングウィンドウの間でのアクティビティを監視するために定期的に起動し、ＰＳＣモードを出るべきか否かを決定する。ＭＳは、同一の基地局との異なる接続に対して、個々にＰＳＣモードに入るかもしれない。しかしながら、困ったことに、ＭＳは、それぞれの接続に対するリスニングウィンドウの間にコンポーネントの電源を入れなければならない。１つの接続に対するリスニングウィンドウは、別の接続に対するスリーピングウィンドウとオーバーラップするかもしれないことから、電力セーブは最適ではない。
【０００５】
したがって、必要とされているものは、ＭＳ中で電力を節約するための改良された技術である。
【概要】
【０００６】
ある実施形態は、基地局（ＢＳ）とデータを交換するワイヤレス移動局中で、電力セーブモードに入る方法を提供する。方法は、一般的に、移動局と基地局との間でデータを交換するために確立された接続を識別することと、接続のうちの少なくとも２つのものは、異なるタイプのスケジューリングサービスにしたがってデータを交換し、接続のうちの少なくとも２つのものを１つ以上のグループに集約し、それぞれのグループは共通電力セーブクラス（ＰＳＣ）タイプを有することと、予め定められた時間期間に対して、グループのうちの１つ以上のもののそれぞれの接続上でのインアクティビティを検出することに応答して、対応する１つ以上の共通ＰＳＣタイプをアクティブ化することとを含む。
【０００７】
ある実施形態は、移動局を提供する。移動局は、一般的に、移動局と基地局との間でデータを交換するために確立された接続を識別するロジックと、接続のうちの少なくとも２つのものは、異なるタイプのスケジューリングサービスにしたがってデータを交換し、接続のうちの少なくとも２つのものを１つ以上のグループに集約し、それぞれのグループは共通電力セーブクラス（ＰＳＣ）タイプを有するロジックと、予め定められた時間期間に対して、グループのうちの１つ以上のもののそれぞれの接続上でのインアクティビティを検出することに応答して、対応する１つ以上の共通ＰＳＣタイプをアクティブ化するロジックとを具備する。
【０００８】
ある実施形態は、装置を提供する。装置は、一般的に、装置と基地局との間でデータを交換するために確立された接続を識別する手段と、接続のうちの少なくとも２つのものは、異なるタイプのスケジューリングサービスにしたがってデータを交換し、接続のうちの少なくとも２つのものを１つ以上のグループに集約し、それぞれのグループは共通電力セーブクラス（ＰＳＣ）タイプを有する手段と、予め定められた時間期間に対して、グループのうちの１つ以上のもののそれぞれの接続上でのインアクティビティを検出することに応答して、対応する１つ以上の共通ＰＳＣタイプをアクティブ化する手段とを具備する。
【０００９】
ある実施形態は、基地局（ＢＳ）とデータを交換するワイヤレス移動局中で、電力セーブモードに入れるためのプログラム用命令を具備するコンピュータ読取可能媒体を提供する。プロセッサにより実行されるとき、プログラムは、一般的に、移動局と基地局との間でデータを交換するために確立された接続を識別することと、接続のうちの少なくとも２つのものは、異なるタイプのスケジューリングサービスにしたがってデータを交換し、接続のうちの少なくとも２つのものを１つ以上のグループに集約し、それぞれのグループは共通電力セーブクラス（ＰＳＣ）タイプを有することと、予め定められた時間期間に対して、グループのうちの１つ以上のもののそれぞれの接続上でのインアクティビティを検出することに応答して、対応する１つ以上の共通ＰＳＣタイプをアクティブ化することとを含む動作を実行する。
【図面の簡単な説明】
【００１０】
上記に記載した本開示の特徴を詳細に理解できるように、上記において簡潔に要約したものをより特定した説明が、実施形態の参照により得られる。いくつかの実施形態は、添付した図面中に図示されている。しかしながら、添付した図面は、本開示のある典型的な実施形態のみを図示していて、それゆえ、本開示の範囲の制限としてみなされるべきではなく、説明のために、他の同等に効果的な実施形態が認められてもよいことに留意すべきである。
【図１】図１は、本開示のある実施形態にしたがった例示的なワイヤレス通信システムを図示している。
【図２】図２は、本開示のある実施形態にしたがったワイヤレスデバイス中で利用されてもよいさまざまなコンポーネントを図示している。
【図３】図３は、本開示のある実施形態にしたがった、直交周波数分割多重および直交周波数分割多元接続（ＯＦＤＭ／Ａ）技術を利用するワイヤレス通信システム内で使用されてもよい、例示的な送信機および例示的な受信機を図示している。
【図４】図４は、本開示の実施形態にしたがった、接続を束ね、対応する電力セーブクラス（ＰＳＣ）タイプをアクティブ化する例示的な動作を図示している。
【図４Ａ】図４Ａは、図４の例示的な動作を実行することが可能なコンポーネントのブロック図である。
【図５】図５は、本開示の実施形態にしたがった、ＢＳとＭＳとの間の例示的な交換を図示している。
【図６Ａ】図６Ａは、本開示の実施形態にしたがった、ＭＳに対する例示的なスリープモードタイミング図を図示している。
【図６Ｂ】図６Ｂは、本開示の実施形態にしたがった、ＭＳに対する例示的なスリープモードタイミング図を図示している。
【詳細な説明】
【００１１】
本開示の実施形態は、ＭＳが、類似したスケジューリングタイプまたはデータ配信タイプを有するアクティブな接続を共通ＰＳＣタイプに集約することを可能にする。いくつかの実施形態において、２つ以上のＰＳＣタイプが同時にアクティブ化され、結果として、複数のアクティブな接続のスリーピングウィンドウとリスニングウィンドウとの間の整列が改善される。類似したスケジューリングタイプを有するアクティブな接続を共通ＰＳＣタイプに集約することにより、ＭＳは、より頻繁にＰＳＣスリーピングウィンドウに入り、より長い時間期間の間、前述のスリーピングウィンドウ中にとどまり、したがって、電力をセーブし、ＭＳが充電間で動作する時間を延長する。
【００１２】
〔例示的なワイヤレス通信システム〕
本開示の方法および装置はブロードバンドワイヤレス通信システム中で利用されてもよい。ここで使用するとき、用語“ブロードバンドワイヤレス”は一般的に、所定のエリアにわたる、音声、インターネット、および／または、データネットワークアクセスのような、ワイヤレスサービスのうちの任意の組み合わせたものを提供する技術に言及している。
【００１３】
マイクロ波アクセスに対するワールドワイドインターオペラビリティを意味する、ＷｉＭＡＸは、長距離にわたって高スループットブロードバンド接続を提供する標準規格ベースのブロードバンドワイヤレス技術である。今日、ＷｉＭＡＸの２つの主アプリケーションがある：固定ＷｉＭＡＸおよびモバイルＷｉＭＡＸである。固定ＷｉＭＡＸアプリケーションは、例えば住宅および企業へのブロードバンドアクセスを可能にする、ポイントから複数のポイントへのものである。モバイルＷｉＭＡＸは、ブロードバンドスピードにおけるセルラネットワークの完全移動性を提案している。
【００１４】
モバイルＷｉＭＡＸは、直交周波数分割多重（ＯＦＤＭ）技術、および、直交周波数分割多元接続（ＯＦＤＭＡ）技術に基づいている。ＯＦＤＭは、さまざまな高データレート通信システムにおける幅広い採用が最近見い出されたデジタルマルチ搬送波変調技術である。ＯＦＤＭでは、送信ビットストリームが複数の低レートサブストリームに分割される。それぞれのサブストリームは、複数の直交副搬送波のうちの１つで変調され、複数のパラレルサブチャネルのうちの１つのものの上で送信される。ＯＦＤＭＡは、異なるタイムスロット中でユーザに副搬送波が割り当てられる多元接続技術である。ＯＦＤＭＡは、幅広く変化するアプリケーションと、データレートと、サービス品質要件とを有する多くのユーザに適応することができる柔軟な多元接続技術である。
【００１５】
ワイヤレスインターネットおよびワイヤレス通信における急激な成長は、ワイヤレス通信サービスの分野における高データレートに対する増加する需要につながっている。ＯＦＤＭ／ＯＦＤＭＡシステムは今日、最も見込みのある研究エリアのうちの１つとして、および、次世代のワイヤレス通信のためのキー技術として考えられている。これは、ＯＦＤＭ／ＯＦＤＭＡ変調スキームが、旧来の単一搬送波変調スキームと比べて、変調効率、スペクトル効率、柔軟性および強力なマルチパス耐性のような、多くの利点を提供できるという事実に起因している。
【００１６】
ＩＥＥＥ８０２．１６ｘは、固定および移動ブロードバンドワイヤレスアクセス（ＢＷＡ）システムに対するエアインターフェースを規定するための新興標準規格団体である。これらの標準規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定および移動ＢＷＡエリアにおいて最も普及している。
【００１７】
図１は、本発明の実施形態が用いられてもよいワイヤレス通信システム１００の例を図示している。ワイヤレス通信システム１００は、ブロードバンドワイヤレス通信システムであってもよい。ワイヤレス通信システム１００は、多数のセル１０２に対する通信を提供してもよく、それぞれのセル１０２は基地局１０４によりサービスされる。基地局１０４は、ユーザ端末１０６と通信する固定局であってもよい。基地局１０４は代わりに、アクセスポイント、ノードＢまたはいくつかの他の専門用語として言及されることがある。
【００１８】
図１は、システム１００全体にわたって分散されているさまざまなユーザ端末１０６を描写している。ユーザ端末１０６は固定の（例えば静的な）または移動性のものであってもよい。ユーザ端末１０６は代わりに、遠隔局や、アクセス端末や、端末や、加入者ユニットや、移動局や、局や、ユーザ機器などとして言及されることがある。ユーザ端末１０６は、セルラ電話機や、パーソナルデジタルアシスタント（ＰＤＡ）や、ハンドヘルドデバイスや、ワイヤレスモデムや、ラップトップコンピュータや、パーソナルコンピュータなどのような、ワイヤレスデバイスであってもよい。
【００１９】
ワイヤレス通信デバイス１００中における、基地局１０４とユーザ端末１０６との間の送信に対して、さまざまなアルゴリズムおよび方法が使用されてもよい。例えば、信号は、ＯＦＤＭ／ＯＦＤＭＡ技術にしたがって、基地局１０４とユーザ端末１０６との間で送信および受信されてもよい。このケースである場合、ワイヤレス通信システム１００はＯＦＤＭ／ＯＦＤＭＡシステムとして言及されることがある。
【００２０】
基地局１０４からユーザ端末１０６への送信を促進する通信リンクは、ダウンリンク１０８として言及され、ユーザ端末１０６から基地局１０４への送信を促進する通信リンクは、アップリンク１１０として言及されることがある。代わりに、ダウンリンク１０８は、フォワードリンクまたはフォワードチャネルとして言及され、アップリンク１１０は、リバースリンクまたはリバースチャネルとして言及されることがある。
【００２１】
セル１０２は複数のセクター１１２に分割されてもよい。セクター１１２は、セル１０２内の物理的なカバレッジエリアである。ワイヤレス通信システム１００内の基地局１０４は、セル１０２の特定のセクター１１２内に電力フローを集中させるアンテナを利用してもよい。このようなアンテナは、指向性アンテナとして言及されることがある。
【００２２】
図２は、ワイヤレス通信システム１００内で用いられるワイヤレスデバイス２０２中で利用されてもよいさまざまなコンポーネントを図示している。ワイヤレスデバイス２０２は、ここで説明するさまざまな方法を実現するように構成されているデバイスの例である。ワイヤレスデバイス２０２は、基地局１０４またはユーザ端末１０６であってもよい。
【００２３】
ワイヤレスデバイス２０２は、ワイヤレスデバイス２０２の動作を制御するプロセッサ２０４を具備していてもよい。プロセッサ２０４はまた、中央処理装置（ＣＰＵ）としても言及されることがある。リードオンリーメモリ（ＲＯＭ）とランダムアクセスメモリ（ＲＡＭ）との双方を含んでいてもよいメモリ２０６は、プロセッサ２０４に命令およびデータを提供する。メモリ２０６の一部分はまた、不揮発性ランダムアクセスメモリ（ＮＶＲＡＭ）を含んでいてもよい。プロセッサ２０４は、メモリ２０６内に記憶されているプログラム命令に基づいた論理的動作および算術動作を実行できる。メモリ２０６中の命令は、ここに説明する方法を実現するために実行可能であってもよい。
【００２４】
ワイヤレスデバイス２０２はまた、ワイヤレスデバイス２０２と遠隔位置との間のデータの送信および受信を可能にする送信機２１０および受信機２１２を備えていてもよいハウジング２０８を具備していてもよい。送信機２１０および受信機２１２は、組み合わせて、トランシーバ２１４にしてもよい。アンテナ２１６は、ハウジング２０８に取り付けられていてもよく、電気的にトランシーバ２１４に結合されていてもよい。ワイヤレスデバイス２０２はまた、（示していない）複数の送信機、複数の受信機、複数のトランシーバ、および／または、複数のアンテナを具備していてもよい。
【００２５】
ワイヤレスデバイス２０２はまた、トランシーバ２１４により受信した信号のレベルを検出して、量を示そうとする際に使用してもよい信号検出器２１８を具備していてもよい。信号検出器２１８は、このような信号を、総エネルギーや、擬似ノイズ（ＰＮ）チップ当たりのパイロットエネルギーや、電力スペクトル密度や、他の信号として検出してもよい。ワイヤレスデバイス２０２はまた、信号を処理する際に使用するためのデジタル信号プロセッサ（ＤＳＰ）２２０を具備していてもよい。
【００２６】
ワイヤレスデバイス２０２のさまざまなコンポーネントは、データバスに加えて、電力バスと、制御信号バスと、ステータス信号バスとを含んでもよいバスシステム２２２により互いに結合されていてもよい。
【００２７】
図３は、ＯＦＤＭ／ＯＦＤＭＡを利用するワイヤレス通信システム１００内で使用されてもよい送信機３０２の例を図示している。送信機３０２の一部分は、ワイヤレスデバイス２０２の送信機２１０中で実現されてもよい。送信機３０２は、ダウンリンク１０８上でユーザ端末１０６にデータ３０６を送信するために、基地局１０４中で実現されてもよい。送信機３０２はまた、アップリンク１１０上で基地局１０４にデータ３０６を送信するために、ユーザ端末１０６中で実現されてもよい。
【００２８】
送信されるべきデータ３０６は、シリアルパラレル（Ｓ／Ｐ）コンバータ３０８への入力として提供されるように示している。Ｓ／Ｐコンバータ３０８は、送信データをＮ個のパラレルデータストリーム３１０に分ける。
【００２９】
Ｎ個のパラレルデータストリーム３１０はその後、マッパー３１２への入力として提供される。マッパー３１２は、Ｎ個のパラレルデータストリーム３１０をＮ個の配列点上にマッピングする。マッピングは、２位相シフトキーイング（ＢＰＳＫ）や、４位相シフトキーイング（ＱＰＳＫ）や、８位相シフトキーイング（８ＰＳＫ）や、直角位相振幅変調（ＱＡＭ）などのような、いくつかの変調配列を使用してなされてもよい。したがって、マッパー３１２はＮ個のパラレルシンボルストリーム３１６を出力し、それぞれのシンボルストリーム３１６は、高速逆フーリエ変換（ＩＦＦＴ）３２０のＮ個の直交副搬送波のうちの１つに対応している。これらのＮ個のパラレルシンボルストリーム３１６は、周波数ドメインで表され、ＩＦＦＴコンポーネント３２０により、Ｎ個のパラレル時間ドメインサンプルストリーム３１８にコンバートされる。
【００３０】
ここで専門用語についての簡潔な注記を提供する。周波数ドメインにおけるＮ個のパラレル変調は、周波数ドメインにおけるＮ個の変調シンボルに等しく、周波数ドメインにおけるＮ個の変調シンボルは、周波数ドメインにおけるＮ個のマッピングおよびＮポイントＩＦＦＴに等しく、周波数ドメインにおけるＮ個のマッピングおよびＮポイントＩＦＦＴは、時間ドメインにおける１個の（有用な）ＯＦＤＭシンボルに等しく、時間ドメインにおける１個の（有用な）ＯＦＤＭシンボルは、時間ドメインにおけるＮ個のサンプルに等しい。時間ドメインにおける１個のＯＦＤＭシンボルＮsは、Ｎcp（ＯＦＤＭシンボル当たりのガードサンプルの数）＋Ｎ（ＯＦＤＭシンボル当たりの有用なサンプルの数）に等しい。
【００３１】
Ｎ個のパラレル時間ドメインサンプルストリーム３１８は、パラレルシリアル（Ｐ／Ｓ）コンバータ３２４により、ＯＦＤＭ／ＯＦＤＭＡシンボルストリーム３２２にコンバートされる。ガード挿入コンポーネント３２６は、ＯＦＤＭ／ＯＦＤＭＡシンボルストリーム３２２中の連続するＯＦＤＭ／ＯＦＤＭＡシンボル間にガード間隔を挿入する。ガード挿入コンポーネント３２６の出力はその後、無線周波数（ＲＦ）フロントエンド３２８により、所望の送信周波数帯域にアップコンバートされる。アンテナ３３０はその後、結果として得られる信号３３２を送信する。
【００３２】
図３はまた、ＯＦＤＭ／ＯＦＤＭＡを利用するワイヤレスデバイス２０２内で使用されてもよい受信機３０４の例を図示している。受信機３０４の一部分は、ワイヤレスデバイス２０２の受信機２１２中で実現されてもよい。受信機３０４は、ダウンリンク１０８上で基地局１０４からデータ３０６を受信するために、ユーザ端末１０６中で実現されてもよい。受信機３０４はまた、アップリンク１１０上でユーザ端末１０６からデータ３０６を受信するために、基地局１０４中で実現されてもよい。
【００３３】
送信信号３２２は、ワイヤレスチャネル３３４を通して伝わるように示している。信号３３２’がアンテナ３３０’により受信されるとき、受信信号３２２’は、ＲＦフロントエンド３２８’によりベースバンド信号にダウンコンバートされる。ガード除去コンポーネント３２６’はその後、ガード挿入コンポーネント３２６により、ＯＦＤＭ／ＯＦＤＭＡシンボル間に挿入されたガード間隔を除去する。
【００３４】
ガード除去コンポーネント３２６’の出力は、Ｓ／Ｐコンバータ３２４’に提供される。Ｓ／Ｐコンバータ３２４’は、ＯＦＤＭ／ＯＦＤＭＡシンボルストリーム３２２’をＮ個のパラレル時間ドメインシンボルストリーム３１８’に分割する。それぞれのＮ個のパラレル時間ドメインシンボルストリーム３１８’は、Ｎ個の直交副搬送波のうちの１つに対応している。高速フーリエ変換（ＦＦＴ）コンポーネント３２０’は、Ｎ個のパラレル時間ドメインシンボルストリーム３１８’を周波数ドメインにコンバートし、Ｎ個のパラレル周波数ドメインシンボルストリーム３１６’を出力する。
【００３５】
デマッパー３１２’は、マッパー３１２により実行されたシンボルマッピング動作の逆を実行し、これにより、Ｎ個のパラレルデータストリーム３１０’を出力する。Ｐ／Ｓコンバータ３０８’はＮ個のパラレルデータストリーム３１０’を単一データストリーム３０６’に組み合わせる。理想的には、このデータストリーム３０６’は、送信機３０２への入力として提供されたデータ３０６に対応する。エレメント３０８’、３１０’、３１２’、３１６’、３２０’、３１８’および３２４’はすべて、ベースバンドプロセッサ３４０’中に見い出されてもよいことに留意されたい。
【００３６】
〔電力セーブクラス（ＰＳＣ）タイプの構成およびアクティブ化〕
異なるデータ配信の必要性を有するアプリケーションのための、異なるタイプのサービス品質（ＱｏＳ）に対するサポートは、ＷｉＭＡＸ標準規格の根本的な部分である。強力なＱｏＳサポートは、接続指向ＭＡＣアーキテクチャを使用することにより達成されてもよい。ＱｏＳ制御を促進するために、何らかのデータ送信が起こる前に、ＢＳおよびＭＳは、一般的に２つのＭＡＣレイヤピア間の接続として呼ばれる一方向性論理リンクを確立する。いくつかのインスタンスでは、ＭＳおよびＢＳは、任意の所定時間においていくつかの接続を確立してもよい。それぞれの接続は、接続識別子（ＣＩＤ）により識別されてもよく、接続識別子（ＣＩＤ）は、特定リンク上のデータ送信に対する一時的なアドレスとして機能する。
【００３７】
異なるデータ配信の必要性を有する幅広い種類のアプリケーションをサポートするために、ＷｉＭＡＸ標準規格は、接続上のデータ伝送のためにＢＳのＭＡＣスケジューラによりサポートされるべきである、さまざまな異なるスケジューリングサービスまたはデータ配信サービスを規定する。これらのスケジューリングサービスまたはデータ配信サービスは、非送信請求認可サービス（ＵＧＳ）や、リアルタイム可変レート（ＲＴ−ＶＲ）や、拡張リアルタイム可変レート（ＥＲＴ−ＶＲ）や、非リアルタイム可変レート（ＮＲＴ−ＶＲ）や、ベストエフォート（ＢＥ）を含む。ＢＳとＭＳとの間のそれぞれの接続は、ＣＩＤの使用により個々に識別可能であることから、それぞれの接続は、いくぶん、ＢＳとＭＳとの間の他のすべての接続から独立していてもよく、異なる接続は、異なるスケジューリングサービスを有していてもよい。
【００３８】
ここに提示した技術は、（類似している可能性があるが）異なるスケジューリングサービスを有する接続を、グループに集約する（または、束ねる）ことを可能にし、それぞれのグループに共通電力セーブクラスタイプが割り当てられる。異なる接続を共通ＰＳＣタイプに束ねることにより、アクティブな接続に対する異なるスリーピングウィンドウの全体的な数が減少し、これは、全体的な電力消費量の減少を助ける。例えば、（異なる接続の束に対する）異なるＰＳＣタイプを自動的にアクティブ化することにより、結果として、旧来の“束ねられていない”ＰＳＣスキームが利用されるときよりも、ＭＳが低電力状態で費やす全体的な時間がさらに多くなるように、オーバーラップするスリーピングウィンドウの数が減少する。
【００３９】
ここで提示したように、接続を束ねることによりまた、旧来のＰＳＣスキームと比べたときに、結果として、全体的なＰＳＣタイプがより少なくなる。その結果として、提案したＰＳＣ技術は、ＢＳがサポートする必要がある電力セーブクラスの総数を減少させることにより、担当基地局（ＢＳ）における処理の複雑性を減少させる。
【００４０】
図４を参照すると、本開示のある実施形態にしたがった、電力セーブクラス（ＰＳＣ）タイプを構成およびアクティブ化する例示的な動作４００が示されている。動作４００は、４０２において、アクティブな接続を識別することにより始まる。
【００４１】
４０４において、アクティブな接続は、共通ＰＳＣタイプを有する１つ以上のグループに集約される。いくつかの実施形態では、類似したスケジューリングサービスを有するアクティブな接続が、共通グループに集約されてもよい。例えば、ＮＲＴ−ＶＲおよびＢＥサービスのような、より緩和されたデータ配信要件を有する接続が、互いにグループ化され、第１のＰＳＣタイプが割り当てられてもよい。このＰＳＣタイプは、例えば、固定長リスニングウィンドウと指数的に増加するスリーピングウィンドウとを有する、よりアグレッシブな低電力ステータスを可能にする。ＵＧＳ、ＲＴ−ＶＲ、ＥＲＴ−ＶＲのような、より厳しいデータ配信要求を有する接続には、例えば、固定期間のスリーピングウィンドウを有する第２のＰＳＣタイプが割り当てられてもよい。
【００４２】
４０６において、ＰＳＣタイプを自動的にアクティブ化させてもよい。例えば、予め定められた時間期間に対して、対応する集約された接続のうちの任意のものの上でのアクティビティがない（例えば送信されたデータ、または、受信されたデータがない）場合、ＰＳＣタイプを自動的にアクティブ化させてもよい。ある実施形態において、複数のＰＳＣタイプをともに（例えば同時に）アクティブ化させてもよい。例えば、２つのＰＳＣタイプＩおよびＩＩを有する接続の２つの束ねられたグループを仮定すると、対応する接続のうちの任意のものの上でのアクティビティが検出されない場合、双方のＰＳＣタイプを自動的にアクティブ化させてもよい。
【００４３】
複数の接続がグループに束ねられてもよいが、ある状況においては、１つ以上のＰＳＣグループ中に単一の接続のみがあってもよい。言い換えると、ＰＳＣグループは１つ以上の異なるタイプの接続を含んでいてもよい。例えば、単一ＵＧＳ接続（ＲＴ−ＶＲ接続またはＥＲＴ−ＶＲ接続がない）と、単一ＮＲＴ−ＶＲ接続（ＢＥ接続がない）とがある状況では、依然として２つのＰＳＣグループがあってもよく、それらを同時にアクティブ化させてもよい。第１の（よりアグレッシブな）ＰＳＣグループを、１つのＮＲＴ−ＶＲ接続に対して使用してもよい一方で、第２の（アグレッシブさが少ない）ＰＳＣグループを、１つのＵＧＳ接続に対して使用してもよい。
【００４４】
図５は、本開示の実施形態にしたがって、ＢＳとＰＳＣスリープモードに入るＭＳとの間に起こる交換の例を図示している。交換は、複数の接続上でのアクティブなデータ交換を有する“通常動作”５１０の期間で始まる。上述したように、複数の接続は１つ以上のＰＳＣタイプに束ねられていてもよい。
【００４５】
すべての接続上でのインアクティビティの期間（Ｔ）の後、５２４において、ＭＳは、束ねられた接続に対するＰＳＣタイプのうちの１つ以上のものを自動的にアクティブ化させる。図示しているように、ＰＳＣタイプをアクティブ化させるために、ＭＳはＢＳにスリープ要求５２０を送信する。スリープ応答５２２を受信すると、ＭＳは、スリーピングウィンドウ５３０の間に低電力状態に入り、スリーピングウィンドウ５３０は、アクティブ化されたＰＳＣタイプに基づいて、固定であるか、または指数的に増加する。図示しているように、スリーピングウィンドウ５３０とスリーピングウィンドウ５３０との間において、ＰＳＣタイプを出ること（ディアクティブ化）を促すアクティビティ（受信されたデータ、または、送信されるデータ）を“リスニングする”ために、ＭＳはリスニングウィンドウ５４０中に起動する。
【００４６】
図５中に図示している例において、アクティビティはリスニングウィンドウ５４０中で検出される。応答として、ＭＳは、１つ以上のアクティブなＰＳＣタイプをディアクティブ化させ、通常動作５１０に戻り、１つ以上の接続上でのデータ交換を再開してもよい。図５中には示していないが、旧来の電力セーブスキームは、接続ごとのベースにより、ＰＳＣタイプをアクティブ化させる。
【００４７】
例えば、図６Ａ中に図示しているように、旧来のスキームは、予め定められた時間期間に対して、所定の接続上でのアクティビティが検出されないとき、その接続に対するＰＳＣタイプをアクティブ化させる。図示している例は、４つの接続６１０1から６１０4に対する図を示していて、それぞれの接続６１０1から６１０4には異なるＰＳＣタイプ（クラスＩＤ０から３を有する）が割り当てられている。困ったことに、このようなスキームにより、結果として、スリーピングウィンドウおよびリスニングウィンドウの数が多くなり、ＭＳは、それぞれのリスニングウィンドウに対してコンポーネントの電源を入れなければならない。
【００４８】
このＭＳ上での全体的な効果を最下のダイヤグラム６５０Ａにより図示しており、このスキーム中では、ＭＳは、それぞれのＰＳＣタイプに対するリスニングウィンドウの間に起動して、リスニングする。結果として、それぞれのＰＳＣタイプに対するリスニングウィンドウは、実質的により長いリスニングウィンドウに基本的に集約される（例えば、論理和をとる）一方、それぞれのＰＳＣタイプに対するスリーピングウィンドウは減少する（例えば、論理積をとる）。破線により示されているようにスリーピングウィンドウがオーバーラップするときに限られた回数だけコンポーネントは電源が切断されていることから、全体的な効果は最適な電力セーブよりも少ない。
【００４９】
しかしながら、図６Ｂに図示しているように、ここで提示しているように接続を束にすることにより、結果として、スリーピングウィンドウがより少なくなって、オーバーラップがより多くなり、その結果として、ＭＳがより多くの時間割合の間にコンポーネントの電源を切断することが可能であることから、電力セーブが増加する。図６Ｂに図示している例もまた、図６Ａ中に示しているような（ダイヤグラム６２０1から６２０4上で示している）４つの接続と、同じデータ送信とを仮定している。接続１および接続２は第１のＰＳＣタイプ（クラスＩＤ０）が割り当てられているグループに束にされている一方で、接続３および接続４は第２のＰＳＣタイプ（クラスＩＤ１）が割り当てられているグループに束にされている。
【００５０】
これらのＰＳＣタイプのタイミングをダイヤグラム６３０1および６３０2中に示している。接続ごとのベースによりＰＳＣタイプをアクティブ化させるよりもむしろ、対応するすべての接続上での予め定められたインアクティビティ期間（Ｔ）の後、ＰＳＣタイプを一緒にアクティブ化させる。スリーピングウィンドウおよびリスニングウィンドウの数がより少なくなる結果として、ＭＳは、より多くの時間割合の間をコンポーネントの電源断に費やす。例えば、ダイヤグラム６５０B中で図示しているように、接続を束にすることにより、結果として、破線により示しているように、実質上、スリーピングウィンドウとスリーピングウィンドウとの間のオーバーラップがより多くなる。
【００５１】
図６Ｂの例は、複数のＰＳＣタイプのアクティブ化を実証していて、それぞれのＰＳＣタイプは束ねられた接続の対応する組を有している。しかしながら、たとえ単一のＰＳＣタイプがアクティブ化されている場合でも、複数の接続を共通ＰＳＣタイプを有するグループに束にすることにより、電力セーブを大きくできることも、当業者は認識するだろう。例えば、ＭＳのすべてのアクティブな接続が共通グループに束ねられている場合、対応するすべての束ねられた接続上でのインアクティビティを検出することに応答して、そのグループに対するＰＳＣタイプをアクティブ化させると、図６Ａ中の図示した接続ごとのアクティブ化と比べて、スリーピングウィンドウおよび時間ウィンドウの数が依然として減少する。言い換えると、ＭＳは、それぞれの接続のリスニングウィンドウに対して起動する必要はなく、それゆえ、より多くの時間割合の間にコンポーネントの電源を切断して、スリープモード中にとどまる。
【００５２】
前述したように、ＭＳにおける電力消費量を減少させることに加えて、ここで提示したように接続を束にすることは、ＢＳの複雑性も減少させる。例えば、旧来のＰＳＣスキームと比べて、全体的により少ないＰＳＣタイプを使用することにより、基地局（ＢＳ）がサポートする必要がある電力セーブクラスの総数を減少させることにより、担当ＢＳにおける処理の複雑性が減少する。
【００５３】
上述した方法のさまざまな動作は、図面中に図示したミーンズプラスファンクションブロックに対応する、さまざまなハードウェアおよび／またはソフトウェアのコンポーネントおよび／またはモジュールにより実行されてもよい。一般的に、図面中に図示している方法が、対応するよく似たミーンズプラスファンクション図を有する場合、動作ブロックは、類似したナンバリングを有するミーンズプラスファンクションブロックに対応する。例えば、図４中に図示したブロック４０２から４０６は、図４Ａ中に図示したミーンズプラスファンクションブロック４０２Ａから４０６Ａに対応している。
【００５４】
情報および信号は、さまざまな異なる技術および技法のうちの任意のものを使用して表されてもよい。例えば、上記に説明にわたって参照されているデータ、命令、コマンド、情報、信号、およびこれらに類するものは、電圧、電流、電磁波、磁界または粒子、光界または粒子、および、これらの任意の組み合わせたものにより表されてもよい。
【００５５】
本開示と関連して述べたさまざまな例示的な論理ブロック、モジュールおよび回路は、汎用プロセッサ、デジタル信号プロセッサ（ＤＳＰ）、特定用途向け集積回路（ＡＳＩＣ）、現場プログラム可能ゲートアレイ信号（ＦＰＧＡ）または他のプログラム可能論理デバイス、ディスクリートゲートまたはトランジスタ論理、ディスクリートハードウェアコンポーネント、あるいは、ここに開示した機能を実行するように設計されているこれらの任意の組み合わせたものにより、実現または実行されてもよい。汎用プロセッサはマイクロプロセッサであってもよいが、代替実施形態では、プロセッサは、任意の商業上利用可能なプロセッサ、制御装置、マイクロ制御装置または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、任意のその他のこのような構成のような、コンピューティングデバイスを組み合わせたものとして実現されてもよい。
【００５６】
本開示に関連して述べた方法またはアルゴリズムのステップは、ハードウェアで、プロセッサにより実行されるソフトウェアモジュールで、あるいは、双方を組み合わせたもので直接的に具現化してもよい。ソフトウェアモジュールは、技術的に知られている何らかの形態の記憶媒体に存在していてもよい。使用できる記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭなどを含む。ソフトウェアモジュールは、単一の命令、または、多くの命令を備えていてもよく、いくつかの異なるコードセグメント上で、異なるプログラムの間で、および、複数の記憶媒体を介して、分配されてもよい。記憶媒体は、プロセッサが記憶媒体から情報を読み取り、記憶媒体に情報を書き込むことができるようにプロセッサに結合されていてもよい。代替実施形態では、記憶媒体はプロセッサと一体化されてもよい。
【００５７】
ここで開示した方法は、述べた方法を達成するための１つ以上のステップまたはアクションを含んでいる。方法ステップおよび／またはアクションは、特許請求の範囲から逸脱することなく、別のものに入れ替えてもよい。言い換えると、ステップまたはアクションの特定の順序が指定されない限り、特定のステップおよび／またはアクションの、順序および／または使用は、特許請求の範囲から逸脱することなく、改良されてもよい。
【００５８】
記述した機能は、ハードウェアで、ソフトウェアで、ファームウェアで、または、これらのものを組み合わせた任意のもので実現してもよい。ソフトウェアで実現された場合、機能は、命令または命令の１つ以上の組として、コンピュータ読取可能媒体または記憶媒体上に記憶されてもよい。記憶媒体は、コンピュータまたは１つ以上の処理デバイスによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝送または記憶するために使用できる他の何らかの媒体を含んでいてもよい。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイディスク（登録商標）を含むが、一般的に、ディスク（ｄｉｓｋ）は、データを磁気的に再生する一方で、ディスク（ｄｉｓｃ）はデータをレーザによって光学的に再生する。
【００５９】
ソフトウェアまたは命令はまた、送信媒体を通して送信されてもよい。例えば、ソフトウェアが、ウェブサイト、サーバ、あるいは同軸ケーブルや、光ファイバケーブルや、撚り対や、デジタル加入者線（ＤＳＬ）、あるいは赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【００６０】
さらに、ここで述べた方法および技術を実行する、モジュールおよび／または他の適切な方法はダウンロードすることができ、あるいは／ならびに、そうでなければ、ユーザ端末および／または基地局により、適用可能に取得することができる。例えば、このようなデバイスは、サーバに結合することができ、ここで述べた方法を実行する手段の転送を容易にする。代わりに、ここで述べたさまざまな方法は、記憶手段（例えば、ＲＡＭ、ＲＯＭ、コンパクトディスク（ＣＤ）やフロッピーディスクなどのような物理的な記憶媒体）を通して提供でき、それにより、ユーザ端末および／または基地局は、記憶手段をデバイスに結合または提供すると、さまざまな方法を取得することができる。さらに、ここで述べた方法および技術をデバイスに提供する他の任意の適した技術を利用することができる。
【００６１】
特許請求の範囲は上記で図示した厳密な構成およびコンポーネントに限定されるものではないことを理解すべきである。上述した方法および装置の、配置、動作および詳細において、特許請求の範囲から逸脱することなく、さまざまな改良、変更、バリエーションを行うことができる。
【図１】
2011511580.tif 000003
【図２】
2011511580.tif 000004
【図３】
2011511580.tif 000005
【図４】
2011511580.tif 000006
【図４Ａ】
2011511580.tif 000007
【図５】
2011511580.tif 000008
【図６Ａ】
2011511580.tif 000009
【図６Ｂ】
2011511580.tif 000010
【国際調査報告】
2011511580.tif 000011
2011511580.tif 000012